(57)【要約】    【課題】消防隊員のホース巻き作業は大変である。手で巻いた場合、ホースを一律に巻くことは難しい。２重巻きホ−スを短時間に巻くことが本発明の課題である。【解決手段】図１の基部の上に平行して回転する２つの筒状のローラー（３）とローラー（４）があり、その２つのローラーの中間には、２重巻きホースを巻くためのハンドルがある。そのハンドルの中心部は平行な２本のピンによって構成され、ピン（５）はハンドルの回転の中心であり、もう１本のピン（６）ホースを巻き始めを固定する役割をし、ハンドルに取り付けられたレバーの横に連結し、２重巻きホースが完成した時にそのレバーを起こすことで、ハンドルの巻き取り部との間に隙間をつくり、ハンドル全体をホースから容易に抜く構造になっている。ハンドルの代わりにプーリーやギアを取り付け電動モーターによって巻き上げることで自動的に巻き上げることも可能である。以上からなる消火用ホース巻き取り装置。【選択図】図１
2005022867.tif 000002
【特許請求の範囲】
【請求項１】
基部の上に平行して回転する２つの筒状のローラーがあり、その２つのローラーの中間には、２重巻きホースを巻くためのハンドルがある。そのハンドルは、筒状のローラーと平行して回転する同時に回転の中心部は上下にスライドする構造になっている。その中心部は平行な２本のピンによって構成され、１本のピンはハンドルの回転の中心であり２重巻きホースの中心部の役割をする。残りのもう１本のピンは２重巻きホースの巻き始めを固定する役割をすると同時に一方を、てこの支点としてハンドルに取り付けられたレバーの横に連結し、２重巻きホースが完成した時にそのレバーを起こすことで、てこの原理によって２重巻きホースの中心から先に抜きとることで２重巻きホースの中心部とハンドルの巻き取り部との間に隙間をつくり、ハンドル全体を２重巻きホースから容易に抜く構造になっている。ハンドルの代わりにプーリーやギアを取り付け電動モーターによって巻き上げることで自動的に巻き上げることも可能である。以上からなる消火用ホース巻き取り装置。
【発明の詳細な説明】
【技術分野】
【０００１】
消防隊員の無理な姿勢でのホース巻き取り作業から消防隊員を解放するものである。      
【背景技術】
【０００２】
消防活動で欠かすことのできない消火用ホースを維持管理する時に必ずホース巻きの作業がある。２０ｍの長さのホースを約半分に折り、その折り目を中心にロール状に巻く作業である。つまりこれが二重巻きホ−スである。火災の時にホースを最大の長さの２０ｍにのばし次のホースへつなぎ、次々と連結していく。いかに少ない数のホースにより最長の距離を得ることによって短時間に消火作業に入ることができる。このためにもこの二重巻きホ−スを巻く作業は重要である。
【発明の開示】
【発明が解決しようとする課題】
【０００３】
この二重巻きホ−スにするために現在、各地方にあるあるほとんどの消防隊、消防団では、図６のような中腰の無理な姿勢での手巻きによって行われている。中腰の姿勢での巻き取りのため、ホースの側面を平らに揃えて、さらにホースを密着して巻くのは至難の技であり、重労働である。そしてその巻かれ方は巻く人の個人差がありホースを一律に巻くことは難しい。
【０００４】
人間の手で二重巻きホ−スを巻くのには、１８０秒以上の時間を要する。誰が巻いても無理な姿勢をすることなくスムーズに側面が平らにそろい、さらに密着した二重巻きホ−スを短時間に巻くことのできる装置が本発明の課題である。  
【課題を解決するための手段】
【０００５】
図１の基部（１２）の上に平行して回転する２つの筒状のローラー（３）とローラー（４）があり、その２つのローラーの中間には、２重巻きホースを巻くためのハンドル（７）がある。そのハンドルは、筒状のローラーと平行して回転すると同時に回転の中心部はガイド板（１）とガイド板（２）の縦のスリットを上下にスライドする構造になっている。その中心部は平行な２本のピン（５）と（６）によって構成され、ピン（５）はハンドルの回転の中心であり２重巻きホースの中心部の役割をする。残りのもう１本のピン（６）は２重巻きホースの巻き始めを固定する役割をすると同時に、図３のように一方をてこの支点（８）としてハンドル（７）に取り付けられたレバー（１０）の横（９）に連結し、２重巻きホースが完成した時にそのレバー（１０）を起こすことで、図３の（１３）のように、てこの原理によって２重巻きホースの中心から先に抜きとることで２重巻きホースの中心部とハンドルの巻き取り部との間に隙間をつくり、ハンドル全体を２重巻きホースから容易に抜く構造になっている。以上からなる消火用ホース巻き取り装置。図４の（１９）のようにホースを支えるローラーは２個でなく、１個でもホース内に残っている空気や水を押し出し、ホースを密着し次々と巻く効果がある本発明と同様の装置である。図５の（２１）のようにハンドルの代わりにプーリー（２３）やギアを取り付け電動モーター（２２）によって巻き上げることで自動的に巻き上げることも可能である。
【発明の効果】
【０００６】
図１のように、消火用ホースを２重巻きの状態で巻く時に、その巻き取られたホース自体（１７）の重さによって、そのホースを支えているローラー（３）とローラー（４）によって、これから巻き取られるホース内に残っている空気や水を押し出し、ホースを密着し次々と巻くことができる。そのため完成した２重巻きホースの直径はコンパクトになり運搬、ホース延長作業や操作などのが容易になる効果がある。図６のような人間の手で２重巻きホ−スを巻く方法では、１８０秒以上の時間を要する。本発明の道具でホースを巻いた場合、３０秒以下で２重巻きホ−スが完成する。６分の１から１０分の１の時間で作業は終了する。本発明の装置によって誰にでも、無理な姿勢をせずに短時間でスムーズに、しかも側面が平らで密着して巻かれた２重巻きホ−スを巻くことができる。
【０００７】
消防隊員はホ−スを巻くため肉体労働から解放され、消防隊員は機械器具の点検など、他にもある多くの作業に専念することができる。
【図面の簡単な説明】
【０００８】
【図１】本発明の装置、及びホース巻き取り部を説明するための図
【図２】本発明の装置巻き始めの状態と巻き取り完了時の状態を示す図
【図３】本発明の巻き取り部の作動原理を説明するための図
【図４】本発明から発展した実施例
【図５】本発明から発展した電動モーターを使った実施例
【図６】多くの消防隊で実施されている消火用ホ−スの２重巻き作業風景
【符号の説明】
【０００９】
１  巻き取りホースの側面を平らにそろえるための板、及びハンドルの回転部を上下にガイドする役割の板
２  巻き取りホースの側面を平らにそろえるための板、及びハンドルの回転部を上下にガイドする役割の板
３  ローラー
４  ローラー
５  ２重巻きホースを巻くためのハンドルの回転の中心となるピン
６  ２重巻きホースの巻き始めを固定するためのピン
７  ハンドル
８  ２重巻きホースの中心部のピン（６）を抜く時の支点
９  ２重巻きホースの中心部から、てこの原理でピン（６）を抜く時の作用点
１０  ２重巻きホースの中心部のピン（６）を抜くためのレバー
１１  ハンドルのグリップ
１２  この装置の基部
１３  ２重巻きホースの中心部からピン（６）を抜いたときの状況
１４  本発明の装置巻き始めの状態
１５  本発明の装置巻き取りを完了した状態
１６  ２重巻きホースの巻き始めであるホースの折り目を中心のピンにかけた状態
１７  完了した２重巻きホース。
１８  本発明の基本形、ホースを受けているローラーが２個の場合
１９  ホースを受けているローラーが１個の場合でも同じ効果がある例
２０  ハンドルの回転の中心部がスライドする板と同時に上下する例
２１  ハンドルの代わりにプーリーを付け電動モーターで巻き上げる例
２２  電動モーター
２３  プーリー
２４  電動モーターと巻き上げ部を連動するためのベルト
【図１】
2005022867.tif 000003
【図２】
2005022867.tif 000004
【図３】
2005022867.tif 000005
【図４】
2005022867.tif 000006
【図５】
2005022867.tif 000007
【図６】
2005022867.tif 000008